(57)【要約】【課題】移動体通信機の持ち込みが禁止されている場所において、電話設備を備え付けることなく、外部と通話することを可能とするスイッチングハブを提供する。【解決手段】通話先のＩＰアドレスを選択するアドレス選択手段４と、ルーティングテーブル２を参照してアドレス選択手段４で選択したＩＰアドレスの機器と通信を行い、当該機器との間でデジタル音声信号を送受信する通話制御部５と、通話用のスピーカー６およびマイク７と、マイク７から入力されたアナログ音声信号をデジタル音声信号に変換して通話制御部５に出力すると共に、通話制御部５からのデジタル音声信号をアナログ音声信号に変換してスピーカー６に出力するアナログ・デジタル変換機８と、を備えたものである。【選択図】図１
2016063294.tif 000002
【特許請求の範囲】
【請求項１】
接続された機器のＩＰ（インターネットプロトコル）アドレスとポートとを関連づけて記憶するルーティングテーブルを備えたスイッチングハブであって、
通話先のＩＰアドレスを選択するアドレス選択手段と、
前記ルーティングテーブルを参照して前記アドレス選択手段で選択したＩＰアドレスの機器と通信を行い、当該機器との間でデジタル音声信号を送受信する通話制御部と、
通話用のスピーカーおよびマイクと、
前記マイクから入力されたアナログ音声信号をデジタル音声信号に変換して前記通話制御部に出力すると共に、前記通話制御部からのデジタル音声信号をアナログ音声信号に変換して前記スピーカーに出力するアナログ・デジタル変換機と、
を備えたことを特徴とするスイッチングハブ。
【請求項２】
前記アドレス選択手段は、複数のＩＰアドレスを選択可能に構成され、
前記通話制御部は、前記アドレス選択手段で選択した複数のＩＰアドレスの機器との間でデジタル音声信号を送受信するように構成される
請求項１記載のスイッチングハブ。
【請求項３】
前記スピーカーとマイクの少なくとも一方が、
筐体に対してケーブルを介して接続されている
請求項１または２記載のスイッチングハブ。
【発明の詳細な説明】
【技術分野】
【０００１】
本発明は、スイッチングハブに関するものである。
【背景技術】
【０００２】
データセンタ等の設備では、ネットワークの中継器としてスイッチングハブ（ネットワークスイッチ、スイッチ）が多く用いられている。
【０００３】
ところで、データセンタ等の設備では、電波障害による機器の誤動作や情報漏洩を防止する目的で、携帯電話等の移動体通信機の持ち込みが禁止されていることが多い。
【０００４】
そのため、データセンタとデータセンタ外で通話による連絡が必要な場合は、備え付けの電話を用いるのが一般的である。
【０００５】
なお、この出願の発明に関連する先行技術文献情報としては、特許文献１がある。
【先行技術文献】
【特許文献】
【０００６】
【特許文献１】特開２０１２−２５６２７６号公報
【発明の概要】
【発明が解決しようとする課題】
【０００７】
しかしながら、備え付けの電話の設備を一式揃えるためにはコストがかかるため、対策が望まれる。
【０００８】
そこで、本発明の目的は、上記課題を解決し、移動体通信機の持ち込みが禁止されている場所において、電話設備を備え付けることなく、外部と通話することを可能とするスイッチングハブを提供することにある。
【課題を解決するための手段】
【０００９】
本発明は上記目的を達成するために創案されたものであり、接続された機器のＩＰ（インターネットプロトコル）アドレスとポートとを関連づけて記憶するルーティングテーブルを備えたスイッチングハブであって、通話先のＩＰアドレスを選択するアドレス選択手段と、前記ルーティングテーブルを参照して前記アドレス選択手段で選択したＩＰアドレスの機器と通信を行い、当該機器との間でデジタル音声信号を送受信する通話制御部と、通話用のスピーカーおよびマイクと、前記マイクから入力されたアナログ音声信号をデジタル音声信号に変換して前記通話制御部に出力すると共に、前記通話制御部からのデジタル音声信号をアナログ音声信号に変換して前記スピーカーに出力するアナログ・デジタル変換機と、を備えたスイッチングハブである。
【００１０】
前記アドレス選択手段は、複数のＩＰアドレスを選択可能に構成され、前記通話制御部は、前記アドレス選択手段で選択した複数のＩＰアドレスの機器との間でデジタル音声信号を送受信するように構成されてもよい。
【００１１】
前記スピーカーとマイクの少なくとも一方が、筐体に対してケーブルを介して接続されていてもよい。
【発明の効果】
【００１２】
本発明によれば、移動体通信機の持ち込みが禁止されている場所において、電話設備を備え付けることなく、外部と通話することを可能とするスイッチングハブを提供できる。
【図面の簡単な説明】
【００１３】
【図１】本発明の一実施形態に係るスイッチングハブのブロック図である。
【図２】図１のスイッチングハブの動作を説明する図である。
【発明を実施するための形態】
【００１４】
以下、本発明の実施形態を添付図面にしたがって説明する。
【００１５】
図１は、本実施形態に係るスイッチングハブのブロック図である。
【００１６】
図１に示すように、スイッチングハブ（ネットワークスイッチ、スイッチ）１は、接続された機器のＩＰ（インターネットプロトコル）アドレスとポートとを関連づけて記憶するルーティングテーブル２を備えている。ルーティングテーブル２は、装置内部のメインチップ３に保存されている。
【００１７】
ここでは、一例として、図２に示すように、本実施形態に係るスイッチングハブ１を３台接続する場合について説明する。以下、３つのスイッチングハブ１をそれぞれスイッチングハブ１ａ〜１ｃとし、スイッチングハブ１ａのＩＰアドレスが１９２．１６．８．５、スイッチングハブ１ｂのＩＰアドレスが１９２．１６．８．１２、スイッチングハブ１ｃのＩＰアドレスが１９２．１６．８．２７に設定されているとする。
【００１８】
この例では、スイッチングハブ１ａの第１ポートとスイッチングハブ１ｂの第１ポートが接続され、スイッチングハブ１ｂの第２ポートとスイッチングハブ１ｃの第１３ポートとが接続されている。
【００１９】
この場合、スイッチングハブ１ａのルーティングテーブル２には、ＩＰアドレス１９２．１６．８．５と第１ポート、１９２．１６．８．１２と第２ポートが対応づけられて記憶される。また、スイッチングハブ１ｂのルーティングテーブル２には、１９２．１６．８．Ｘ（１９２．１６．８で始まるＩＰアドレス全て）と第１ポートが対応づけられて記憶される。同様に、スイッチングハブ１ｃのルーティングテーブル２には、１９２．１６．８．Ｘ（１９２．１６．８で始まるＩＰアドレス全て）と第１３ポートが対応づけられて記憶される。
【００２０】
一例として、スイッチングハブ１ｃからＩＰアドレス１９２．１６．８．１２（スイッチングハブ１ｂ）宛にデータを送信する場合には、まず、スイッチングハブ１ｃが自身のルーティングテーブル２を参照し、当該データを第１３ポートから送信する。第２ポートにてデータを受信したスイッチングハブ１ａは、自身のルーティングテーブル２を参照し、受信したデータを第１ポートに転送し送信する。これにより、スイッチングハブ１ｂにてデータが受信されることになる。
【００２１】
さて、本実施形態に係るスイッチングハブ１は、アドレス選択手段４と、通話制御部５と、通話用のスピーカー６およびマイク７と、アナログ・デジタル変換機８と、を備えている。スイッチングハブ１は、つまり、通常一般のスイッチングハブにさらに通話機能を追加したものである。
【００２２】
アドレス選択手段４は、通話先のＩＰアドレスを選択する手段である。ここでは、各ボタンに通話先のＩＰアドレスが設定された押しボタン式のアドレス選択手段４をスイッチングハブ１の筐体に搭載し、操作者が押したボタンに応じた通話先のＩＰアドレスが選択されるように構成したが、アドレス選択手段４の具体的な構成はこれに限定されるものではない。例えば、通常の電話機と同様のテンキーを備えると共に、番号とＩＰアドレスの対応テーブルを備え、テンキーで入力された番号で対応テーブルを参照して通話先のＩＰアドレスが選択されるように構成してもよい。
【００２３】
なお、通常一般に家庭等で用いられているＩＰ電話システムでは、まずＰＢＸ（電話交換機）と通信を行って通信先のＩＰアドレスを取得し、その後、取得したＩＰアドレスの機器との間で通信を行うが、本実施形態では、ＰＢＸを介さずに直接通話先のＩＰアドレスを指定し、指定したＩＰアドレスの機器との間で通信を行う。そのため、ＰＢＸ等を含む大規模な設備が不要であり、低コストである。
【００２４】
通話制御部５は、ルーティングテーブル２を参照してアドレス選択手段４で選択したＩＰアドレスの機器と通信を行い、当該機器との間でデジタル音声信号を送受信するものである。通話制御部５は、メインチップ３に搭載される。
【００２５】
スピーカー６とマイク７は、スイッチングハブ１と一体に設けられてもよいし、ＲＪ（Ｒｅｇｉｓｔｅｒｅｄ  Ｊａｃｋ）１１等のインターフェイスおよびケーブル等を介して別体に設けられてもよい。また、スピーカー６とマイク７の一方がスイッチングハブ１と一体に設けられ、他方が別体に設けられる構成でも構わない。スピーカー６とマイク７を一体に構成し、受話器やヘッドセットを構成しても構わない。
【００２６】
アナログ・デジタル変換機８は、マイク７から入力されたアナログ音声信号をデジタル音声信号に変換して通話制御部５に出力すると共に、通話制御部５からのデジタル音声信号をアナログ音声信号に変換してスピーカー６に出力するものである。
【００２７】
スイッチングハブ１で通話を行う際は、まず、アドレス選択手段４における通話先のＩＰアドレスが設定されたボタンを押す。ボタンが押されると、通話制御部５は、通話先の機器との間で通信を開始する。マイク７から入力されたアナログ音声信号は、アナログ・デジタル変換機８にてデジタル音声信号に変換され、通話制御部５を介して通話先の機器に送信される。通話先から入力されたデジタル音声信号は、通話制御部５で受信され、アナログ・デジタル変換機８にてアナログ音声信号に変換されてスピーカー６に出力される。これにより、通話先の機器との間で通話が可能になる。
【００２８】
以上説明したように、本実施形態に係るスイッチングハブ１では、通話先のＩＰアドレスを選択するアドレス選択手段４と、ルーティングテーブル２を参照してアドレス選択手段４で選択したＩＰアドレスの機器と通信を行い、当該機器との間でデジタル音声信号を送受信する通話制御部５と、通話用のスピーカー６およびマイク７と、マイク７から入力されたアナログ音声信号をデジタル音声信号に変換して通話制御部５に出力すると共に、通話制御部５からのデジタル音声信号をアナログ音声信号に変換してスピーカー６に出力するアナログ・デジタル変換機８と、を備えている。
【００２９】
これにより、通話機能を実装したスイッチングハブ１を実現でき、このスイッチングハブ１を用いることで、データセンタ等の移動体通信機の持ち込みが禁止されている場所においても、電話設備を備え付けることなく、外部と通話することが可能になる。
【００３０】
スイッチングハブ１はルーティングテーブル２を備えているため、このルーティングテーブル２を利用して、通常のデータ通信と同様に音声通信を行うことが可能であり、低コストに音声通話システムを構築することが可能である。
【００３１】
本発明は上記実施形態に限定されるものではなく、本発明の趣旨を逸脱しない範囲で種々の変更を加え得ることは勿論である。
【００３２】
例えば、上記実施形態では１対１の通話を行う場合を説明したが、１対多の通信を可能に構成することも可能である。この場合、発信側（親局）のスイッチングハブ１が、複数の受信側（子局）のスイッチングハブ１宛（複数のＩＰアドレス宛）にデジタル音声信号を送信することになる。
【００３３】
また、上記実施形態では言及しなかったが、通話開始の前段階として、着信を知らせる着信通知手段と、通話相手が着信を確認したことを発信相手に知らせる受信通知手段とをさらに備えてもよい。着信通知手段としては、相手側の通話制御部５から通信があった際に着信音を鳴らせる装置が考えられる。受信通知手段としては、着信時に受信ボタンを押したとき（あるいは受話器を取ったとき）に、着信相手の装置に着信確認信号を送信する手段等が考えられ、着信確認信号の送受信後に音声通信を開始するように通話制御部５を構成すればよい。
【符号の説明】
【００３４】
１  スイッチングハブ
２  ルーティングテーブル
４  アドレス選択手段
５  通話制御部
６  スピーカー
７  マイク
８  アナログ・デジタル変換機
【図１】
2016063294.tif 000003
【図２】
2016063294.tif 000004